【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
情報処理装置と、第一の端末と、第二の端末と、が、ネットワークを介して通信可能な情報処理システムであって、
前記情報処理装置は、
前記第二の端末から送信されたユーザの識別情報に基づいて、配信する質問の選択を受け付け可能な特定の役割を判断する情報管理手段と、
表示画面を共有可能な複数の前記第一の端末のうちユーザによって質問内容が入力された第一の端末から、質問内容を含む質問情報を受信し、前記第二の端末へ前記質問情報を送信する送受信処理手段と、
を有し、
前記第二の端末は、
前記質問情報に含まれる質問内容を表示する第一の表示処理手段と、
前記質問内容が表示された質問から、前記複数の第一の端末に表示する質問の選択を受け付ける選択処理手段と、
を有し、
前記情報処理装置は、
前記送受信処理手段によって、前記選択された質問に対応する質問内容を前記複数の第一の端末へ送信し、
前記第一の端末は、
前記選択された質問に対応する質問内容を表示する第二の表示処理手段、
を有することを特徴とする情報処理システム。
【請求項２】
前記送受信処理手段は、
前記第二の端末から前記質問情報の取得要求を受け付け、前記第二の端末へ前記質問情報を送信すること
を特徴とする請求項１記載の情報処理システム。
【請求項３】
前記情報処理装置は、
前記第二の端末から前記質問内容を入力したユーザを指定した前記質問情報の取得要求を受け付け、指定された前記ユーザが入力した前記質問内容を含む質問情報を、前記第二の端末へ送信すること
を特徴とする請求項２記載の情報処理システム。
【請求項４】
前記情報処理装置は、
前記第二の端末から表示方式として時系列を指定した前記質問情報の取得要求を受け付け、指定された前記ユーザが前記質問内容を入力した日時情報を含む質問情報を、前記第二の端末へ送信すること
を特徴とする請求項２記載の情報処理システム。
【請求項５】
前記第一の端末は会議の参加者が操作する画面共有端末であり、
前記第二の端末は会議の主催者が操作する管理端末であること
を特徴とする請求項１乃至４の何れか一項に記載の情報処理システム。
【請求項６】
前記特定の役割は、主催者の役割であること
を特徴とする請求項１乃至５の何れか一項に記載の情報処理システム。
【請求項７】
前記主催者の役割に対応付けられたユーザの識別情報は、会議の識別情報に関連付けられて前記情報処理装置に記憶されていること
を特徴とする請求項６記載の情報処理システム。
【請求項８】
第一の端末と第二の端末とにネットワークを介して通信可能な情報処理装置であって、
前記第二の端末から送信されたユーザの識別情報に基づいて、配信する質問の選択を受け付け可能な特定の役割を判断する情報管理手段と、
表示画面を共有可能な複数の前記第一の端末のうちユーザによって質問内容が入力された第一の端末から、質問内容を含む質問情報を受信し、前記第二の端末へ前記質問情報を送信する送受信処理手段と、
を有し、
前記送受信処理手段は、前記第二の端末において前記質問情報に含まれる質問内容が表示された質問から選択された質問に対応する質問内容を、前記複数の第一の端末へ送信することを特徴とする情報処理装置。
【請求項９】
第一の端末と第二の端末とにネットワークを介して通信可能な情報処理装置を、
前記第二の端末から送信されたユーザの識別情報に基づいて、配信する質問の選択を受け付け可能な特定の役割を判断する情報管理手段、
表示画面を共有可能な複数の前記第一の端末のうちユーザによって質問内容が入力された第一の端末から、質問内容を含む質問情報を受信し、前記第二の端末へ前記質問情報を送信する送受信処理手段、
として機能させ、
前記送受信処理手段は、前記第二の端末において前記質問情報に含まれる質問内容が表示された質問から選択された質問に対応する質問内容を、前記複数の第一の端末へ送信することを特徴とするプログラム。
【請求項１０】
第一の端末と第二の端末とにネットワークを介して通信可能な情報処理装置に、
前記第二の端末から送信されたユーザの識別情報に基づいて、配信する質問の選択を受け付け可能な特定の役割を判断する情報管理手順、
表示画面を共有可能な複数の前記第一の端末のうちユーザによって質問内容が入力された第一の端末から、質問内容を含む質問情報を受信し、前記第二の端末へ前記質問情報を送信する送受信処理手順、
を実行させ、
前記第二の端末において前記質問情報に含まれる質問内容が表示された質問から選択された質問に対応する質問内容を、前記複数の第一の端末へ送信することを特徴とする表示情報選択方法。
【請求項１１】
情報処理装置と、第一の端末と、第二の端末と、が、ネットワークを介して通信可能な情報処理システムによって実行される表示情報選択方法であって、
前記情報処理装置において、
前記第二の端末から送信されたユーザの識別情報に基づいて、配信する質問の選択を受け付け可能な特定の役割を判断するステップと、
表示画面を共有可能な複数の前記第一の端末のうちユーザによって質問内容が入力された第一の端末から、質問内容を含む質問情報を受信し、前記特定の役割に対応付けられたユーザの識別情報を送信した前記第二の端末へ前記質問情報を送信するステップと、
を実行し、
前記第二の端末において、
前記質問情報に含まれる質問内容を表示するステップと、
前記質問内容が表示された質問から、前記複数の第一の端末に表示する質問の選択を受け付けるステップと、
を実行し、
前記情報処理装置において、
前記選択された質問に対応する質問内容を前記複数の第一の端末へ送信するステップを実行し、
前記第一の端末において、
前記選択された質問に対応する質問内容を表示するステップを実行すること
を特徴とする表示情報選択方法。
【請求項１２】
情報処理装置と、第一の端末が有する第一のプログラムと、第二の端末が有する第二のプログラムと、が、ネットワークを介して通信可能な情報処理システムであって、
前記情報処理装置は、
前記第二の端末から送信されたユーザの識別情報に基づいて、配信する質問の選択を受け付け可能な特定の役割を判断する情報管理手段と、
表示画面を共有可能な複数の前記第一の端末のうちユーザによって質問内容が入力された第一の端末から、質問内容を含む質問情報を受信し、前記第二の端末へ前記質問情報を送信する送受信処理手段と、
を有し、
前記第二のプログラムは、前記第二の端末を、
前記質問情報に含まれる質問内容を表示する第一の表示処理手段、
前記質問内容が表示された質問から、前記複数の第一の端末に表示する質問の選択を受け付ける選択処理手段、
として機能させ、
前記情報処理装置は、
前記送受信処理手段によって、前記選択された質問に対応する質問内容を前記複数の第一の端末へ送信し、
前記第一のプログラムは、前記第一の端末を、
前記選択された質問に対応する質問内容を表示する第二の表示処理手段、
として機能させることを特徴とする情報処理システム。
【手続補正２】
【補正対象書類名】明細書
【補正対象項目名】０００６
【補正方法】変更
【補正の内容】
【０００６】
上記目的を達成するため、本願請求項１は、情報処理装置と、第一の端末と、第二の端末と、が、ネットワークを介して通信可能な情報処理システムであって、前記情報処理装置は、前記第二の端末から送信されたユーザの識別情報に基づいて、配信する質問の選択を受け付け可能な特定の役割を判断する情報管理手段と、表示画面を共有可能な複数の前記第一の端末のうちユーザによって質問内容が入力された第一の端末から、質問内容を含む質問情報を受信し、前記第二の端末へ前記質問情報を送信する送受信処理手段と、を有し、前記第二の端末は、前記質問情報に含まれる質問内容を表示する第一の表示処理手段と、前記質問内容が表示された質問から、前記複数の第一の端末に表示する質問の選択を受け付ける選択処理手段と、を有し、前記情報処理装置は、前記送受信処理手段によって、前記選択された質問に対応する質問内容を前記複数の第一の端末へ送信し、前記第一の端末は、前記選択された質問に対応する質問内容を表示する第二の表示処理手段、を有することを特徴とする。